(57)【要約】      （修正有）【課題】マット状のジャケットヒーターを設けて、ｌ焦げ付きや穴あき、火災等の発生を防止できると共に、非熟練者であっても加工を簡単且つ容易に行え、しかも、熱効率に優れて均一な加熱を行えるヒーターベンダーを提供する。【解決手段】シート状の基布２ａに電熱線２ｂを配列した面状発熱体２と、面状発熱体２の片面に配設した断熱材３と、面状発熱体２及び断熱材３を収容するカバー部材４とから成り、カバー部材４の面状発熱体２に接する部分を加熱面４ａとした折り曲げ自在なマット状のジャケットヒーター１と、ジャケットヒーター１のカバー部材４の断熱材３に接する部分に取り付けられ、カバー部材４の外面４ｂを覆う断熱保護シート５と、ジャケットヒーター１の電熱線２ｂに接続され、電熱線２ｂに通電する電源ケーブル６と、電源ケーブル６に介設したスイッチ７とから構成する。【選択図】図１
0003150681.tif 000002
【実用新案登録請求の範囲】
【請求項１】
シート状の基布（２ａ）に電熱線（２ｂ）を配列した面状発熱体（２）と、面状発熱体（２）の片面に配設した断熱材（３）と、面状発熱体（２）及び断熱材（３）を収容するカバー部材（４）とから成り、カバー部材（４）の面状発熱体（２）に接する部分を加熱面（４ａ）とした折り曲げ自在なマット状のジャケットヒーター（１）と、ジャケットヒーター（１）のカバー部材（４）の断熱材（３）に接する部分に取り付けられ、カバー部材（４）の外面（４ｂ）を覆う断熱保護シート（５）と、ジャケットヒーター（１）の電熱線（２ｂ）に接続され、電熱線（２ｂ）に通電する電源ケーブル（６）と、電源ケーブル（６）に介設したスイッチ（７）とから構成したことを特徴とするヒーターベンダー。
【請求項２】
断熱保護シート（５）は、その外周縁部がジャケットヒーター（１）の外周縁部から外方へ突出する大きさに形成されており、マット状のジャケットヒーター（１）の外周側面を覆える構成としたことを特徴とする請求項１に記載のヒーターベンダー。
【請求項３】
ジャケットヒーター（１）に、ジャケットヒーター（１）の少なくとも加熱面（４ａ）を覆う取替え用保護カバー（８）を取り付けたことを特徴とする請求項１又は請求項２に記載のヒーターベンダー。
【請求項４】
ジャケットヒーター（１）と取替え用保護カバー（８）との間に、取替え用保護カバー（８）をジャケットヒーター（１）に着脱自在に取り付ける取り付け具（９）を設けたことを特徴とする請求項３に記載のヒーターベンダー。
【請求項５】
取り付け具（９）は、テープ状の基布の片面に多数のフック部を設けた雄型面ファスナーと、テープ状の基布の片面に多数のループ部を設けた雌型面ファスナーとから成る面ファスナー構造に構成されていることを特徴とする請求項４に記載のヒーターベンダー。
【請求項６】
取替え用保護カバー（８）は、ジャケットヒーター（１）及び断熱保護シート（５）のほぼ全体を包み込むポケットティッシュの袋の様な形状に形成されており、ジャケットヒーター（１）に取り外し自在に取り付けられていることを特徴とする請求項３に記載のヒーターベンダー。
【請求項７】
取替え用保護カバー（８）に、少なくとも色彩又は模様の何れか一方又は両方を施したことを特徴とする請求項３又は請求項６に記載のヒーターベンダー。
【請求項８】
電源ケーブル（６）に介設したスイッチ（７）を、タイマー付スイッチ（７）としたことを特徴とする請求項１に記載のヒーターベンダー。
【考案の詳細な説明】
【技術分野】
【０００１】
本考案は、熱可塑性の合成樹脂パイプや合成樹脂板等の曲げ加工、伸縮チューブ等の収縮加工、電線やケーブル等の柔軟性の促進加工、パテ等の柔軟性の促進加工等に用いられるものであり、配管工事や電気工事等の工事現場で使用される携帯式のヒーターベンダーに関するものである。
【背景技術】
【０００２】
一般に、水道管やガス管等の配管工事に於いては、配管材として塩化ビニールパイプ等の熱可塑性の合成樹脂パイプが広く使用されている。この熱可塑性の合成樹脂パイプは、加熱すると、その材質が軟化して変形できる性質を有しているため、各工事現場に於いて、現場スペースに合わせて合成樹脂パイプの曲げ加工が行われている。
又、電気工事に於いては、電線、電気部品等の接続部や端末部を電気的に絶縁したり、或いは機械的に保護したりするために、ポリオレフィン等の樹脂で作られた伸縮チューブ（熱収縮チューブ）が広く使用されている。この伸縮チューブは、熱を加えることによって、直径方向へ収縮してケーブルの接続部等を絶縁保護するようになっている。
【０００３】
従来、合成樹脂パイプの曲げ加工は、合成樹脂パイプの曲げ加工個所をトーチランプ等の炎で加熱して軟化させた後、軟化した曲げ加工個所を外部から力を加えて任意の角度に曲げるようにしている。
又、伸縮チューブの収縮加工は、ケーブルの接続部等に被せた伸縮チューブを工業用ドライヤーの熱風やトーチランプの炎で加熱して収縮させるようにしている。
【０００４】
ところで、合成樹脂パイプの曲げ加工や伸縮チューブの収縮加工にトーチランプを使用した場合、合成樹脂パイプの表面や収縮チューブの表面が焦げたり、或いは合成樹脂パイプや伸縮チューブに穴が開いたり、最悪の場合には、火災になると云う問題があった。
又、伸縮チューブの収縮加工に工業用ドライヤーを使用した場合、熱量が小さくて伸縮チューブを収縮させるのに時間がかかるうえ、熱風の全てを伸縮チューブに当てることができないので、熱損失が大きいと云う問題があった。
更に、トーチランプや工業用ドライヤーを使用した場合、炎や熱風による局部加熱であるため、合成樹脂パイプや伸縮チューブを均一に加熱することが難しく、加熱作業に熟練を要すると云う問題があった。しかも、作業場所が狭い所では、トーチランプや工業用ドライヤーを合成樹脂パイプや伸縮チューブの全周に回し込むことができないので、熟練者であっても、均一な加熱を行えないことになる。
【０００５】
一方、合成樹脂パイプの曲げ加工に可撓性を有するマット状の電熱ヒーターを使用することが知られている（例えば、特許文献１、特許文献２及び特許文献３参照）。
即ち、電熱ヒーターを用いた合成樹脂パイプの曲げ加工は、合成樹脂パイプの曲げ加工個所にマット状の電熱ヒーターを巻き付け、当該電熱ヒーターに通電して合成樹脂パイプの曲げ加工個所を加熱して軟化させた後、軟化した曲げ加工個所を外部から力を加えて任意の角度に曲げるようにしている。
【０００６】
合成樹脂パイプの曲げ加工に電熱ヒーターを使用した場合、合成樹脂パイプの焦げ付きや穴開き等を防止でき、合成樹脂パイプの曲げ加工個所を均一に加熱できると云う利点がある。
【０００７】
しかし、合成樹脂パイプを電熱ヒーターで加熱する場合、特許文献１〜３に開示された従来の電熱ヒーターの構造では、熱効率が極めて悪く、加熱時間が長くかかって電力の消費がかさむと云う問題があった。
【先行技術文献】
【特許文献】
【０００８】
【特許文献１】実開昭５３−１２２３６１号公報
【特許文献２】実公昭５９−１２１７８号公報
【特許文献３】実公平６−５８６８号公報
【考案の概要】
【考案が解決しようとする課題】
【０００９】
本考案は、合成樹脂パイプや伸縮チューブ等の配管工事や電気工事に於ける上述の如き問題、即ち、（１）トーチランプを用いた場合には、合成樹脂パイプ等に焦げや穴開きが生じるうえ、均一に加熱することが困難なこと、（２）工業用ドライヤーを用いた場合には、熱量が小さくて加熱に時間がかかると共に、熱損失が大きくて均一に加熱することが困難なこと、（３）電熱ヒーターを用いた場合には、熱効率が悪くて加熱時間に時間がかかって電力の消費がかさむこと等の問題を解決せんとするものであり、その目的は、焦げ付きや穴あき、火災等の発生を防止できると共に、非熟練者であっても加工を簡単且つ容易に行え、しかも、熱効率に優れて均一な加熱を行える取扱性等に優れたヒーターベンダーを提供することにある。
【課題を解決するための手段】
【００１０】
上記目的を達成するために、本考案の請求項１の考案は、シート状の基布に電熱線を配列した面状発熱体と、面状発熱体の片面に配設した断熱材と、面状発熱体及び断熱材を収容するカバー部材とから成り、カバー部材の面状発熱体に接する部分を加熱面とした折り曲げ自在なマット状のジャケットヒーターと、ジャケットヒーターのカバー部材の断熱材に接する部分に取り付けられ、カバー部材の外面を覆う断熱保護シートと、ジャケットヒーターの電熱線に接続され、電熱線に通電する電源ケーブルと、電源ケーブルに介設したスイッチとから構成したことに特徴がある。
【００１１】
本考案の請求項２の考案は、断熱保護シートが、ジャケットヒーターの外周縁部から外方へ突出する大きさに形成されており、断熱保護シートの外周縁部でマット状のジャケットヒーターの外周側面を覆える構成としたことに特徴がある。
【００１２】
本考案の請求項３の考案は、ジャケットヒーターに、ジャケットヒーターの少なくとも加熱面を覆う取替え用保護カバーを取り付けたことに特徴がある。
【００１３】
本考案の請求項４の考案は、ジャケットヒーターと取替え用保護カバーとの間に、取替え用保護カバーをジャケットヒーターに着脱自在に取り付ける取り付け具を設けたことに特徴がある。
【００１４】
本考案の請求項５の考案は、取り付け具が、テープ状の基布の片面に多数のフック部を設けた雄型面ファスナーと、テープ状の基布の片面に多数のループ部を設けた雌型面ファスナーとから成る面ファスナー構造に構成されていることに特徴がある。
【００１５】
本考案の請求項６の考案は、取替え用保護カバーが、ジャケットヒーター及び断熱保護シートのほぼ全体を包み込むポケットティッシュの袋の様な形状に形成されており、ジャケットヒーターに取り外し自在に取り付けられていることに特徴がある。
【００１６】
本考案の請求項７の考案は、取替え用保護カバーに、少なくとも色彩又は模様の何れか一方又は両方を施したことに特徴がある。
【００１７】
本考案の請求項８の考案は、電源ケーブルに介設したスイッチを、タイマー付スイッチとしたことに特徴がある。
【考案の効果】
【００１８】
本考案の請求項１に係るヒーターベンダーは、面状発熱体及び断熱材をカバー部材で収容して成る折り曲げ自在なマット状のジャケットヒーターを備えているため、合成樹脂パイプや合成樹脂板等の曲げ加工時、伸縮チューブ等の収縮加工時、電線やケーブル等の柔軟性の促進加工時、パテ等の柔軟性の促進加工時には、ジャケットヒーターの加熱面を、合成樹脂パイプや合成樹脂板の曲げ加工個所、伸縮チューブの外周面、電線やケーブルの外周面、パテの表面にそれぞれ押し当て加熱すれば良い。
その結果、本考案の請求項１に係るヒーターベンダーを用いれば、トーチランプを用いたときのように直火による表面焦がしや穴開き、火災等が発生すると云うことが殆んど無くなると共に、合成樹脂パイプや合成樹脂板、伸縮チューブ等を均一に加熱することができ、しかも、非熟練者であっても、曲げ加工や収縮加工等を簡単且つ容易に行うことができる。
又、本考案の請求項１に係るヒーターベンダーは、ジャケットヒーターが断熱材を内蔵し、且つジャケットヒーターの断熱材を配設した方の外面に断熱保護シートを取り付けているため、熱損失を少なくすることができ、加熱を短時間で行えて曲げ加工や収縮加工等のスピードアップを図れると共に、消費電力も少なくて済み、節電効果が得られる。
更に、本考案の請求項１に係るヒーターベンダーは、マット状のジャケットヒーター及び電源ケーブル等から構成されているため、トーチランプ等に比較して軽量化を図れることになり、持ち運び易くなると共に、使用の際にも極めて取り扱い易くなる。
【００１９】
本考案の請求項２乃至請求項６に係るヒーターベンダーは、上記効果に加えて更に次のような優れた効果を奏することができる。
【００２０】
即ち、本考案の請求項２に係るヒーターベンダーは、断熱保護シートが、ジャケットヒーターよりも大きめに形成され、ジャケットヒーターの外周縁部から外方へ突出する構成としているため、合成樹脂パイプ等の加熱作業時に作業員の手がジャケットヒーターに直接に触れるのを防止することができ、火傷等の心配もなくなって安全性に優れたものとなる。
【００２１】
本考案の請求項３に係るヒーターベンダーは、ジャケットヒーターに、ジャケットヒーターの少なくとも加熱面を覆う取替え用保護カバーを取り付けているため、ジャケットヒーター自体が汚損したり、破損したりするのを防止することができる。
【００２２】
本考案の請求項４に係るヒーターベンダーは、ジャケットヒーターと取替え用保護カバーとの間に、取替え用保護カバーをジャケットヒーターに着脱自在に取り付ける取り付け具を設けているため、取替え用保護カバーが汚れたり、破損したりした場合には、新しい取替え用保護カバーに簡単且つ容易に取り替えることができ、至極便利である。
【００２３】
本考案の請求項５に係るヒーターベンダーは、取り付け具が、テープ状の基布の片面に多数のフック部を設けた雄型面ファスナーと、テープ状の基布の片面に多数のループ部を設けた雌型面ファスナーとから成る面ファスナー構造に構成されているため、取替え用保護カバーを取り替える際にその取り替えを迅速により一層簡単且つ容易に行える。
【００２４】
本考案の請求項６に係るヒーターベンダーは、取替え用保護カバーが、ジャケットヒーター及び断熱保護シートのほぼ全体を包み込むポケットティッシュの袋の様な形状に形成されているため、ジャケットヒーター自体が汚損したり、破損したりするのをより確実に防止することができる。
又、本考案の請求項６に係るヒーターベンダーは、取替え用保護カバーが、ジャケットヒーターに取り外し自在に取り付けられているため、取り付け具を使用することなく、取替え用保護カバーをジャケットヒーターに取り付けることができ、取り付け具を省略できてコスト削減及び組立の簡略化等を図ることができる。
【００２５】
本考案の請求項７に係るヒーターベンダーは、取替え用保護カバーに、少なくとも色彩又は模様の何れか一方又は両方を施しているため、デザイン性に極めて優れたものとなる。
【００２６】
本考案の請求項８に係るヒーターベンダーは、電源ケーブルに介設したスイッチを、タイマー付スイッチとしているため、合成樹脂パイプ等の加熱作業時にタイマーを所定の時間に設定しておけば、合成樹脂パイプ等を加熱し過ぎると云うことがなく、合成樹脂パイプ等の加熱作業を良好に行える。
【図面の簡単な説明】
【００２７】
【図１】本考案の実施の形態に係るヒーターベンダーを示し、ジャケットヒーターから取替え用保護カバーを外した状態のヒーターベンダーの一部破断正面図である。
【図２】取替え用保護カバーを省略したヒーターベンダーの平面図である。
【図３】取替え用保護カバーを省略したヒーターベンダーの底面図である。
【図４】取替え用保護カバーを外したジャケットヒーターを折り曲げた状態のヒーターベンダーの正面図である。
【図５】ジャケットヒーターに取替え用保護カバーを取り付け、ジャケットヒーターを折り曲げた状態のヒーターベンダーの一部破断正面図である。
【図６】本考案の他の実施の形態に係るヒーターベンダーを示し、ジャケットヒーターから取替え用保護カバーを外した状態のヒーターベンダーの一部破断正面図である。
【図７】ジャケットヒーターから取替え用保護カバーを外した状態のヒーターベンダーの平面図である。
【図８】ジャケットヒーターに取替え用保護カバーを取り付け、ジャケットヒーターを折り曲げた状態のヒーターベンダーの一部破断正面図である。
【考案を実施するための形態】
【００２８】
以下、本考案の実施の形態を図面に基づいて詳細に説明する。
図１乃至図５は本考案の実施の形態に係るヒーターベンダーを示し、当該ヒーターベンダーは、シート状の基布２ａに電熱線２ｂを配列した面状発熱体２と、面状発熱体２の片面に配設した断熱材３と、面状発熱体２及び断熱材３を収容するカバー部材４とから成り、カバー部材４の面状発熱体２に接する部分を加熱面４ａとした折り曲げ自在なマット状のジャケットヒーター１と、ジャケットヒーター１のカバー部材４の断熱材３に接する部分に取り付けられ、カバー部材４の外面４ｂを覆う断熱保護シート５と、ジャケットヒーター１の電熱線２ｂに接続され、電熱線２ｂに通電する電源ケーブル６と、電源ケーブル６に介設したタイマー付スイッチ７と、ジャケットヒーター１の少なくとも加熱面４ａを覆う取替え用保護カバー８と、ジャケットヒーター１と取替え用保護カバー８との間に設けられ、取替え用保護カバー８をジャケットヒーター１に着脱自在に取り付ける取り付け具９とから構成されており、熱可塑性の合成樹脂パイプや合成樹脂板等の曲げ加工、伸縮チューブ等の収縮加工、電線やケーブル等の柔軟性の促進加工、パテ等の柔軟性の促進加工等に用いられるものである。
【００２９】
前記ジャケットヒーター１は、シート状の基布２ａに電熱線２ｂを配列して成る面状発熱体２の片面にマット状の断熱材３を配設し、面状発熱体２及び断熱材３をカバー部材４内に収容したものであり、平面形状が八角形のマット状に形成されている。このジャケットヒーター１は、折り曲げ自在となっており、カバー部材４の面状発熱体２に接する部分が加熱面４ａとなっている。
【００３０】
具体的には、ジャケットヒーター１の面状発熱体２は、互いに重ね合わされた二枚のシート状の基布２ａと、二枚の基布２ａ間に均等に配列した電熱線２ｂとから構成されており、平面形状が八角形の折り曲げ自在なシート状に形成されている。
この面状発熱体２の基布２ａは、電気絶縁性及び耐熱性に優れたガラス繊維織物やシリカ繊維織物により形成されている。
又、面状発熱体２の電熱線２ｂは、ニクロム線の表面にセラミック繊維から成るフェルト状の第１被覆層を形成し、この第１被覆層の表面にセラミック繊維の編物から成る第２被覆層を形成した二重絶縁構造の電熱線２ｂとなっている。この二重絶縁構造の電熱線２ｂは、柔軟性と耐久性に優れ、安全性も高いので、電熱線２ｂ間の間隔を狭くして緻密に配列することができる。そのため、ジャケットヒーター１の加熱面４ａを均一な温度にすることができる。
【００３１】
尚、上記の実施の形態に於いては、二枚のシート状の基布２ａ間に電熱線２ｂを配列して成る面状発熱体２を使用するようにしたが、他の実施の形態に於いては、図示していないが、一枚のシート状の基布２ａの表面に電熱線２ｂを所定の形状で配列し、この電熱線２ｂを固定糸により基布２ａ側に固定して成る面状発熱体２を使用するようにしても良い。
【００３２】
ジャケットヒーター１の断熱材３は、断熱性及び耐熱性に優れたシリカ繊維を一定の長さにカットしてフェルト状に仕上げたシリカマットや同じく断熱性及び耐熱性に優れたガラス繊維を一定の長さにカットしてフェルト状に仕上げたガラスマット等により形成されており、ジャケットヒーター１の外面４ｂ（加熱作業時に作業員が手で持つ個所）に熱が伝わらないように面状発熱体２の表面に一定の厚みで配設されている。
【００３３】
ジャケットヒーター１のカバー部材４は、フッ素樹脂繊維、芳香族ナイロン繊維、セラミック繊維、ガラス繊維、多孔質樹脂フィルム等により形成されており、これらをカバー部材４の材質とすることにより、ジャケットヒーター１の耐熱性、電気絶縁性、耐久性及び柔軟性を高めることができる。
このカバー部材４は、カバー部材４全体を一種類の材質で形成しても良いが、ジャケットヒーター１を使用した際に、カバー部材４の面状発熱体２に接する部分と断熱材３に接する部分とではその温度が異なるので、カバー部材４の部位によって材質を変えている。
例えば、カバー部材４の面状発熱体２に接する部分（ジャケットヒーター１の加熱面４ａ）は、温度が高くなるので耐熱性の極めて高い焼成済みのガラスクロスにより形成し、又、カバー部材４の断熱材３に接する部分（ジャケットヒーター１の外面４ｂ）は、温度も低くなるので耐熱性の低いテフロン（登録商標）コートガラスクロスやシリコンコートガラスクロスにより形成している。更に、カバー部材４の各側面４ｃも、温度が高くなるので高い耐熱性を有する焼成済みのガラスクロスにより形成している。
【００３４】
前記断熱保護シート５は、その外周縁部がジャケットヒーター１の外周縁部から外方へ突出する大きさに形成されており、マット状のジャケットヒーター１の外周側面（カバー部材４の各側面４ｃ）を覆えるようになっている。
この断熱保護シート５は、断熱性及び耐熱性に優れたシリカ繊維やガラス繊維によりジャケットヒーター１よりも大きめの平面形状が八角形に形成されており、その外周縁部がジャケットヒーター１の外周縁部から外方へ突出し、ジャケットヒーター１のカバー部材４の各側面４ｃを完全に覆えるようになっている。
【００３５】
前記電源ケーブル６は、絶縁体材料及びシース材料に可撓性及び耐熱性に優れた材料を用いたケーブルにより形成されており、その長さはヒーターベンダーの持ち運びや使用時に邪魔にならない程度の長さに設定されている。この実施の形態に於いては、電源ケーブル６の長さは、３ｍに設定されている。
又、電源ケーブル６の一端部は、ジャケットヒーター１の電熱線２ｂに接続され、電源ケーブル６の他端部には、電源プラグ１０が設けられている。
更に、電源ケーブル６の途中には、タイマー付スイッチ７（例えば、タイマー付押しボタンスイッチやタイマー付スライドスイッチ等）が介設されている。このタイマー付スイッチ７は、タイマー７ａを所定の時間にセットしてからスイッチをＯＮの状態にすると、所定時間経過後にタイマー７ａによりＯＦＦの状態になるようになっている。
【００３６】
前記取替え用保護カバー８は、ジャケットヒーター１の少なくとも加熱面４ａ全域を覆ってジャケットヒーター１の汚損や破損を防止するものであり、ジャケットヒーター１に取り替え可能に取り付けられている。
即ち、取替え用保護カバー８は、耐熱性、熱伝導性及び難燃性に優れた部材（例えば、ＰＢＯ繊維等）によりジャケットヒーター１の加熱面４ａ全域及びジャケットヒーター１の外周縁部を覆える大きさに形成されており、ジャケットヒーター１と取替え用保護カバー８との間に設けた取り付け具９によりジャケットヒーター１に着脱自在に取り付けられている。
又、取替え用保護カバー８には、様々な色彩や模様等が施されている。そのため、この取替え用保護カバー８をジャケットヒーター１に取り付けた場合には、ヒーターベンダーをデザイン性に優れたヒーターベンダーとすることができる。尚、取替え用保護カバー８に、色彩や模様の他にメーカー名や商品名等の文字を表示しても良い。この場合には、優れた宣伝効果や広告効果が得られる。
【００３７】
前記取り付け具９は、テープ状の基布の片面に多数のフック部を設けた難燃性の雄型面ファスナーと、テープ状の基布の片面に多数のループ部を設けた難燃性の雌型面ファスナーとから成る面ファスナー構造に構成されており、雄型面ファスナーが断熱保護シート５の外面（又は取替え用保護カバー８の外周縁部内面）に取り付けられ、又、雌型面ファスナーが取替え用保護カバー８の外周縁部内面（又は断熱保護シート５の外面）に取り付けられている。
従って、取り付け具９は、取替え用保護カバー８をジャケットヒーター１に被せ、取替え用保護カバー８に取り付けた雌型面ファスナー（又は雄型面ファスナー）をジャケットヒーター１に取り付けた雄型面ファスナー（又は雌型面ファスナー）に貼り付けることによって、取替え用保護カバー８をジャケットヒーター１に取り付けることができ、又、雄型面ファスナーと雌型面ファスナーとを引き剥がすことによって取替え用保護カバー８をジャケットヒーター１から取り外すことができる。
【００３８】
次に、上述したヒーターベンダーを用いて合成樹脂パイプを曲げ加工する場合について説明する。
【００３９】
尚、ヒーターベンダーは、取替え用保護カバー８をジャケットヒーター１に取り付けた状態で使用しても良く、或いは取替え用保護カバー８をジャケットヒーター１から取り外した状態で使用するようにしても良い。
この実施の形態於いては、取替え用保護カバー８をジャケットヒーター１から取り外した状態で使用する場合に説明する。
【００４０】
先ず、電源ケーブル６の電源プラグ１０をコンセントに差し込み、タイマー付スイッチ７のタイマー７ａを所定の時間にセットする。タイマー７ａのセット時間は、ジャケットヒーター１により合成樹脂パイプの曲げ加工個所を曲げ加工できる程度に軟化させることができるように設定する。
【００４１】
次に、ジャケットヒーター１を持ってその加熱面４ａを合成樹脂パイプの曲げ加工個所に押し当てる。このとき、ジャケットヒーター１の加熱面４ａが合成樹脂パイプの曲げ加工個所の全周に当たるようにし、この状態でジャケットヒーター１を保持する。
【００４２】
その後、タイマー付スイッチ７をＯＮの状態にし、電源ケーブル６を介してジャケットヒーター１の電熱線２ｂに通電する。そうすると、面状発熱体２が発熱して合成樹脂パイプの曲げ加工個所が加熱されて軟化し始める。
このとき、ジャケットヒーター１で合成樹脂パイプの曲げ加工個所の全周を加熱するようにしているため、加熱時間の短縮を図れると共に、合成樹脂パイプの曲げ加工個所を均一に加熱することができる。又、ジャケットヒーター１が断熱材３を内蔵し、且つジャケットヒーター１の外面４ｂに断熱保護シート５を取り付けているため、熱損失を少なくすることができると共に、作業者が火傷したりする虞がない。特に、断熱保護シート５が、ジャケットヒーター１よりも大きめに形成されてジャケットヒーター１の外周縁部から外方へ突出しているため、加熱作業時に作業員の手がジャケットヒーター１に直接に触れるのを確実に防止することができる。
【００４３】
そして、合成樹脂パイプを加熱し始めて一定時間が経過すると、タイマー付スイッチ７がＯＦＦの状態になり、ジャケットヒーター１の電熱線２ｂへの通電を停止する。そのため、合成樹脂パイプを加熱し過ぎると云うことがなく、合成樹脂パイプの曲げ加工個所を曲げ加工に良好な軟化状態にすることができる。
【００４４】
合成樹脂パイプの加熱作業が終了したら、ジャケットヒーター１を合成樹脂パイプから外し、軟化した曲げ加工個所を外部から力を加えて任意の角度に曲げる。
【００４５】
このように、前記ヒーターベンダーは、ジャケットヒーター１の加熱面４ａを合成樹脂パイプの曲げ加工個所全域に押し当てて合成樹脂パイプの曲げ加工個所を加熱するようにしているため、トーチランプを用いたときのように直火による表面焦がしや穴開き、火災等が発生すると云うことが殆んど無くなると共に、合成樹脂パイプを均一に加熱することができ、しかも、非熟練者であっても、曲げ加工等を簡単且つ容易に行うことができる。
又、このヒーターベンダーは、ジャケットヒーター１が断熱材３を内蔵し、且つジャケットヒーター１の外面４ｂに断熱保護シート５を取り付けているため、熱損失を少なくすることができ、加熱を短時間で行えて曲げ加工等のスピードアップを図れると共に、消費電力も少なくて済み、節電効果が得られる。
更に、このヒーターベンダーは、マット状のジャケットヒーター１及び電源ケーブル６等から構成されているため、トーチランプ等に比較して軽量化を図れることになり、持ち運び易くなると共に、使用の際にも極めて取り扱い易くなる。
【００４６】
尚、上記の実施の形態に於いては、ヒーターベンダーの取替え用保護カバー８をジャケットヒーター１から取り外した状態で合成樹脂パイプの曲げ加工を行うようにしたが、ジャケットヒーター１に取替え用保護カバー８を取り付けた状態で合成樹脂パイプの曲げ加工を行うようにしても良い。
この場合、ヒーターベンダーは、ジャケットヒーター１にその加熱面４ａ側を覆う取替え用保護カバー８を取り付けているため、ジャケットヒーター１自体が汚損したり、破損したりするのを防止することができる。
又、ヒーターベンダーは、取替え用保護カバー８が取り付け具９を介してジャケットヒーター１に着脱自在に取り付けられているため、取替え用保護カバー８が汚れたり、破損したりした場合には、新しい取替え用保護カバー８に取り替えることができ、至極便利である。特に、取り付け具９が、テープ状の基布の片面に多数のフック部を設けた雄型面ファスナーと、テープ状の基布の片面に多数のループ部を設けた雌型面ファスナーとから成る面ファスナー構造に構成されているため、取替え用保護カバー８の取り替えを迅速に簡単且つ容易に行える。
【００４７】
図６乃至図８は本考案の他の実施の形態に係るヒーターベンダーを示し、当該ヒーターベンダーは、シート状の基布２ａに電熱線２ｂを配列した面状発熱体２と、面状発熱体２の片面に配設した断熱材３と、面状発熱体２及び断熱材３を収容するカバー部材４とから成り、カバー部材４の面状発熱体２に接する部分を加熱面４ａとした折り曲げ自在なマット状のジャケットヒーター１と、ジャケットヒーター１のカバー部材４の断熱材３に接する部分に取り付けられ、カバー部材４の外面４ｂを覆う断熱保護シート５と、ジャケットヒーター１の電熱線２ｂに接続され、電熱線２ｂに通電する電源ケーブル６と、電源ケーブル６に介設したタイマー付スイッチ７と、ジャケットヒーター１及び断熱保護シート５のほぼ全体を包み込む取り外し自在な取替え用保護カバー８とから構成されており、熱可塑性の合成樹脂パイプや合成樹脂板等の曲げ加工、伸縮チューブ等の収縮加工、電線やケーブル等の柔軟性の促進加工、パテ等の柔軟性の促進加工等に用いられるものである。
【００４８】
このヒーターベンダーは、取り付け具９を省略し、取替え用保護カバー８の構造を変えたこと以外は、図１乃至図５に示すヒーターベンダーと同じ構造に構成されており、図１乃至図５に示すヒーターベンダーと同じ部位・部材には同一の参照番号を付し、その詳細な説明を省略する。
【００４９】
前記取替え用保護カバー８は、ジャケットヒーター１及び断熱保護シート５のほぼ全体を覆ってジャケットヒーター１及び断熱保護シートの汚損や破損を防止するものであり、ジャケットヒーター１に取り外し自在に取り付けられている。
即ち、取替え用保護カバー８は、図６乃至図８に示す如く、耐熱性、熱伝導性及び難燃性に優れた部材（例えば、ＰＢＯ繊維等）によりジャケットヒーター１及び断熱保護シート５のほぼ全体を包み込むポケットティッシュの袋の様な形状に形成されており、取替え用保護カバー８の上面側中央位置には、ジャケットヒーター１及び断熱保護シート５を取替え用保護カバー８内に収納したり、或いはジャケットヒーター１及び断熱保護シート５を取替え用保護カバー８内から取り出したりするための細幅状の開口８ａが形成されている。
又、取替え用保護カバー８には、様々な色彩や模様等が施されている。そのため、この取替え用保護カバー８をジャケットヒーター１に取り付けた場合には、ヒーターベンダーをデザイン性に優れたヒーターベンダーとすることができる。尚、取替え用保護カバー８に、色彩や模様の他にメーカー名や商品名等の文字を表示しても良い。この場合には、優れた宣伝効果や広告効果が得られる。
【００５０】
上述したヒーターベンダーは、図１乃至図５に示すヒーターベンダーと同様の作用効果を奏することができる。然も、このヒーターベンダーは、取替え用保護カバーが、ジャケットヒーター及び断熱保護シートのほぼ全体を包み込むポケットティッシュの袋の様な形状に形成されているため、ジャケットヒーター自体が汚損したり、破損したりするのをより確実に防止することができる。又、このヒーターベンダーは、取替え用保護カバーが、ジャケットヒーターに取り外し自在に取り付けられているため、取り付け具を使用することなく、取替え用保護カバーをジャケットヒーターに取り付けることができ、取り付け具を省略できてコスト削減及び組立の簡略化等を図ることができる。
【００５１】
尚、上記の各実施の形態に於いては、ジャケットヒーター１、断熱保護シート５及び取替え用保護カバー５の外観形状を、それぞれ八角形に形成したが、他の実施の形態に於いては、ジャケットヒーター１、断熱保護シート５及び取替え用保護カバー５の外観形状を、それぞれ四角形、長方形又は六角形等に形成しても良い。
【００５２】
又、図１乃至図５に示す実施の形態に於いては、取り付け具９を面ファスナー構造としたが、取り付け具９をボタンやホック（何れも図示省略）により形成しても良い。
【産業上の利用可能性】
【００５３】
本考案のヒーターベンダーは、熱可塑性の合成樹脂パイプの曲げ加工のみならず、熱可塑性の合成樹脂板の曲げ加工、ケーブルの接続部等に使用する伸縮チューブ等の収縮加工、配線工事に於ける電線やケーブル等の柔軟性の促進加工、配管工事等に使用するパテ等の柔軟性の促進加工にも利用することができる。この場合にも、焦げ付きや穴あき、火災等の発生を防止できると共に、非熟練者であっても加工を簡単且つ容易に行え、しかも、均一な加熱を行える。
【符号の説明】
【００５４】
１はジャケットヒーター、２は面状発熱体、２ａは基布、２ｂは電熱線、３は断熱材、４はカバー部材、４ａは加熱面、４ｂは外面、５は断熱保護シート、６は電源ケーブル、７はタイマー付スイッチ、８は取替え用保護カバー、９は取り付け具。
【図１】
0003150681.tif 000003
【図２】
0003150681.tif 000004
【図３】
0003150681.tif 000005
【図４】
0003150681.tif 000006
【図５】
0003150681.tif 000007
【図６】
0003150681.tif 000008
【図７】
0003150681.tif 000009
【図８】
0003150681.tif 000010